(57)【要約】      （修正有）【課題】ブラケットを介して躯体に面格子をとりつける面格子の取付構造において、取り付け位置を容易に調整できる取付構造を提供する。【解決手段】躯体４に止具５を介してとりつけられるブラケットに面格子６がとりつけられる面格子取付構造において、ブラケットは、面格子取付ブラケット３と躯体取付ブラケット１を備え、面格子取付ブラケットは所定長さの取付主片３ａと取付主片の一端に長手方向に沿って係合溝部３ｂを形成し、係合溝部は底部と、一対の側部と、側部の先端を内側に折曲した係合部と、係合部間に開口を形成し、係合部の長手方向所定の内面に止金具７を当てがい、外面に躯体取付ブラケットの一端を当てがって躯体取付ブラケットと止金具をねじ具８で止着し、躯体取付ブラケットと面格子取付ブラケットを連結固定し、躯体取付ブラケットを躯体に固定するとともに面格子取付ブラケットの取付主片に面格子を取付ける。【選択図】図４
0003220667.tif 000002
【実用新案登録請求の範囲】
【請求項１】
躯体に止具を介してとりつけられるブラケットに面格子がとりつけられる構造の面格子取付構造において、上記ブラケットは、面格子取付ブラケットと躯体取付ブラケットを備えており、面格子取付ブラケットは所定長さの取付主片と該取付主片の一端に取付主片の長手方向に沿って係合溝部を形成し、該係合溝部は底部と、一対の側部と、側部の先端を内側に折曲した係合部と、該係合部間に開口を形成しており、上記係合溝部の係合部の長手方向所定の内面に止金具を当てがい、外面に躯体取付ブラケットの一端を当てがって躯体取付ブラケットと止金具を止着し、躯体取付ブラケットと面格子取付ブラケットを連結固定し、躯体取付ブラケットを躯体に固定するとともに面格子取付ブラケットの取付主片に面格子を取付けることを特徴とする面格子の取付構造。
【考案の詳細な説明】
【技術分野】
【０００１】本考案はサッシの外側にとりつけられる面格子の取付構造に関する。
【背景技術】
【０００２】従来公知の面格子取付構造は、サッシの外側にとりつけられる面格子は左右それぞれの躯体に短片のブラケットを高さ方向において所定間隔をもって複数個とりつけ、該ブラケットの他端に面格子を取付ける構造である。
【考案の概要】
【考案が解決しようとする課題】
【０００３】上記した面格子の取付構造は、もともと躯体の表面、取付面の状態にばらつきがあり、そのために躯体側のブラケットの取付ピッチと面格子側のブラケットの取付ピッチが一致せずにずれが生じ、このずれを修正するためにブラケットに形成する止具挿通孔を長孔にするなどの調整孔を設けていた。前記手段では十分とは言えず、さらに改良が望まれていた。
【課題を解決するための手段】
【０００４】本考案は次の特徴を備えている。
躯体に止具を介してとりつけられるブラケットに面格子がとりつけられる構造の面格子取付構造において、上記ブラケットは、面格子取付ブラケットと躯体取付ブラケットを備えており、面格子取付ブラケットは所定長さの取付主片と該取付主片の一端に取付主片の長手方向に沿って係合溝部を形成し、該係合溝部は底部と、一対の側部と、側部の先端を内側に折曲した係合部と、該係合部間に開口を形成しており、上記係合溝部の係合部の長手方向所定の内面に止金具を当てがい、外面に躯体取付ブラケットの一端を当てがって躯体取付ブラケットと止金具を止着し、躯体取付ブラケットと面格子取付ブラケットを連結固定し、躯体取付ブラケットを躯体に固定するとともに面格子取付ブラケットの取付主片に面格子を取付けることを特徴とする面格子の取付構造である。
【考案の効果】
【０００５】本考案においては面格子取付ブラケットは所定長さの取付主片と、取付主片の一端に取付主片の長手方向に沿って係合溝部を形成しているので、躯体取付ブラケットが長手方向に移動でき取り付け位置の調整が容易にできる。例えばタイル張りの躯体において、目地部の箇所で躯体取付ブラケットを止着するのが容易であり、確実にできる。【０００６】面格子と躯体の間に所定長さの面格子取付ブラケットが介在するので内外からの目隠しになる。
【図面の簡単な説明】
【０００７】
【図１】本考案躯体取付ブラケットの斜視図で、Ａは１実施例、Ｂは別の実施例である。
【図２】本考案面格子取付ブラケットの平面図である。
【図３】同上に示す面格子取付ブラケットの右側面図である。
【図４】本考案面格子取付構造を示す説明用平面図である。
【図５】同上の説明用右側面図である。
【図６】図１のＢの躯体取付ブラケットを用いた面格子取付構造を示す説明用平面図である。
【考案を実施するための形態】
【０００８】本考案の実施形態について以下に図面１から６を用いて説明する。
図１Ａにおいて、１は躯体取付ブラケットで段状に略Ｚ型に形成している。上段に面格子取付ブラケットがとりつけられる。ねじの挿通孔１ａを上下に形成している。下段には長孔１ｂを形成している。下段が躯体にとりつけられる。
図１Ｂにおいて、躯体取付ブラケット２を略Ｌ字型に形成している。Ｌ字型の一片には上下に複数個図面では３個の横長孔２ａを形成し、他片には上下に横長孔２ｂを、中央に丸孔２ｃを形成している。
【０００９】図２、図３において３は面格子取付ブラケットである。該ブラケットは面格子がとりつけられる所定長さを有する取付主片３ａと、該取付主片の一端に取付主片の長手方向に沿って係合溝部３ｂを形成している。
この実施例は取付主片の一端を折曲して先端に係合溝部３ｂを形成している。
不図示であるが面格子取付ブラケットは取付主片の直線状の端部に係合溝部を形成する形状であってもよい。
係合溝部３ｂは底部３ｂ１、内外に一対の側部３ｂ２、側部の先端を対向側に折曲した係合部３ｂ３、該係合部間に開口３ｂ４を形成している。
【００１０】図４は面格子取付状態の要部を示す説明用の平面図、図５は同じく右側面図である。
躯体４の入隅側に長手方向の所定位置，タイル貼りの目地部の位置に躯体取付ブラケット１がアンカーボルトなど止具５を介して固定されている。
該躯体取付ブラケットは面格子取付ブラケット３に係合溝部３ｂの長手方向所定位置において係合部の内面に止金具７を当てがい、外面に躯体取付ブラケットの一端を当てがい、ねじ具８でねじ止めして両ブラケットを連結固定している。
【００１１】さらに面格子取付ブラケットの取付主片３ａに面格子６を当てがって止具６ａで固定している。上記取り付け状態では躯体取付ブラケットが面格子取付ブラケットの長手方向において移動可能であり、所定位置で例えば躯体はタイル貼りであれば、目地部で躯体取付ブラケットを固定できる。所定長さの面格子取付ブラケットが面格子と躯体の間に介在するので内外からの目隠しになる。９はサッシである。
【００１２】図６は図１Ｂに示す躯体取付ブラケット２を用いた実施例であり、躯体の出隅側に上記ブラケットをとりつける状態を示す。
Ｌ型の躯体取付ブラケットの一片を、該一片に形成している長孔２ｂ（図１Ｂに示す）に止具、アンカーボルト５を挿通して躯体４にとりつけている。
躯体取付ブラケットの他片には面格子取付ブラケット３を係合溝部３ｂの係止部の内面に止金具７を当てがい，係止部の外面に躯体取付ブラケットを当てがって両ブラケットをねじ具８で固定する。
面格子取付ブラケット３の取付主片３ａに面格子６を止具を介してとりつけている。
面格子と躯体の間隙は長手方向に沿って面格子取付ブラケットによって覆われるので内外からの目隠しになる。９はサッシである。
以上本考案の実施例について説明しているが、本考案の技術思想を逸脱しない範囲の設計変更は可能である。
【符号の説明】
【００１３】１      躯体取付ブラケット
１ａ    挿通孔
１ｂ    長孔
２      躯体取付ブラケット
２ａ    長孔
２ｂ    長孔
２ｃ    丸孔
３      面格子取付ブラケット
３ａ    取付主片
３ｂ    係合溝部
３ｂ１  底部
３ｂ２  側部
３ｂ３  係合部
３ｂ４  開口
４      躯体
５      止具アンカーボルト
６      面格子
７      止金具
８      ねじ具
９      サッシ
【図１】
0003220667.tif 000003
【図２】
0003220667.tif 000004
【図３】
0003220667.tif 000005
【図４】
0003220667.tif 000006
【図５】
0003220667.tif 000007
【図６】
0003220667.tif 000008